(57)【要約】【課題】簡易な発振器２９を付加するのみで、パケット通信を含む高機能のＧＳＭ端末２の試験を実施可能とする。【解決手段】制御データ７及び通信データ９を作成し、タイムスロットに応じてこれらを時分割合成し、１台の発振器２３で発振周波数を第１、第２の周波数ｆ1、ｆ2に切換えて、時分割合成した制御データ７及び通信データ９の各周波数をそれぞれ第１、第２の周波数ｆ1、ｆ2に設定して送信信号２４を得る。第２の発振器２９からの第１の周波数ｆ1を有するダミー信号３０を作成し、送信信号とダミー信号とを加算して、下り試験信号３ｂとして試験対象のＧＳＭ端末２へ送出する。  このように、ダミー信号３０を制御データ、通信データの作成とは、独立に別系統で作成することによって、回路構成の低価格化を図る。【選択図】図２
2007228404.tif 000002
【特許請求の範囲】
【請求項１】
試験対象のＧＳＭ端末（２）に対して制御データを含む制御チャネルと通信データを含む通信チャネルとからなる下り試験信号を送出して、当該ＧＳＭ端末の試験を行うＧＳＭ擬似基地局装置（１０ａ）において、
前記制御データと前記通信データとを作成して、作成した制御データと通信データとをタイムスロットに応じて時分割合成して出力するデータ作成部（１１）と、
このデータ作成部から出力された時分割合成された制御データ及び通信データのそれぞれの周波数を、１台の第１の発振器（２３）から発振周波数を切換えることにて供給される第１の周波数及び第２の周波数にそれぞれ設定して送信信号（２４）として出力する送信部（１２）と、
第２の発振器（２９）からの第１の周波数を有するダミー信号（３０）を作成するダミー信号作成部（１３）と、
このダミー信号作成部で作成されるダミー信号の出力レベルを定めるダミー信号制御部（１５）と、
前記送信部から出力された送信信号と前記ダミー信号作成部から出力されたダミー信号とを加算して前記下り試験信号として前記試験対象のＧＳＭ端末へ送出する加算部（１４）と
を備えたことを特徴とするＧＳＭ擬似基地局装置。
【請求項２】
試験対象のＧＳＭ端末（２）に対して制御データを含む制御チャネルと通信データを含む通信チャネルとからなる下り試験信号を送出して、当該ＧＳＭ端末の試験を行うＧＳＭ擬似基地局装置（１０ａ）において、
前記制御データと前記通信データとを作成して、作成した制御データと通信データとをタイムスロットに応じて時分割合成して出力するデータ作成部（１１）と、
このデータ作成部から出力された時分割合成された制御データ及び通信データのそれぞれの周波数を、１台の第１の発振器（２３）から発振周波数を切換えることにて供給される第１の周波数及び第２の周波数にそれぞれ設定して送信信号（２４）として出力する送信部（１２）と、
第２の発振器（２９）からの第１の周波数を有するダミー信号（３０）を作成するダミー信号作成部（１３）と、
このダミー信号作成部で作成されるダミー信号の出力レベルと該出力レベルの継続期間を定めるダミー信号制御部（１５）と、
前記送信部から出力された送信信号と前記ダミー信号作成部から出力されたダミー信号とを加算して前記下り試験信号として前記試験対象のＧＳＭ端末へ送出する加算部（１４）と
を備えたことを特徴とするＧＳＭ擬似基地局装置。
【請求項３】
前記ダミー信号制御部は、予め定められた規定信号レベルのダミー信号を常時出力させることを特徴とする請求項２記載のＧＳＭ擬似基地局装置。
【請求項４】
前記ダミー信号制御部は、前記制御チャネルの制御データの送出していない期間において、前記ダミー信号の出力レベルを予め定められた規定信号レベルを超える値に設定することを特徴とする請求項２記載のＧＳＭ擬似基地局装置。
【請求項５】
前記ダミー信号制御部は、前記ダミー信号の出力を前記制御チャネルの１フレームを構成する複数タイムスロットにおける各タイムスロット単位で指定された任意の出力パターンに設定することを特徴とする請求項２記載のＧＳＭ擬似基地局装置。
【請求項６】
前記ダミー信号作成部は、予め定められた「０」と「１」との組み合わせデータコードに基づいて前記ダミー信号を作成することを特徴とする請求項２から５のいずれか１項記載のＧＳＭ擬似基地局装置。
【発明の詳細な説明】
【技術分野】
【０００１】
本発明はＧＳＭ規格が適用される携帯端末の試験を実施するためのＧＳＭ擬似基地局装置に関する。
【背景技術】
【０００２】
欧米等で実用化されている移動体通信の規格としてＧＳＭ（Global System for Mobile communication ）規格がある。図６は基地局１とＧＳＭ端末２との関係を示す図である。基地局１から各ＧＳＭ端末２へ下り信号３（down link）が送信され、各ＧＳＭ端末２から基地局１へ上り信号４（up link）が送信される。
【０００３】
図７は基地局１から各ＧＳＭ端末２へ送信されるＧＳＭ下り信号３のフォーマット図である。このＧＳＭ下り信号３には周波数（搬送周波数）ｆ1の制御チャネル（Control Channel）５と、周波数（搬送周波数）ｆ2の通信チャネル(Traffic Channel)６との２つのチャネルが含まれる。各チャネル５、６の１フレーム内には第０〜第７までの８個のスロットが形成されている。
【０００４】
制御チャネル５においては、１フレームの先頭の第０スロットのみに信号レベルL1の制御データ７が組込まれており、残りの第１〜第７の合計７スロットには、制御データ７の信号レベルL1に等しい信号レベルL1のダミーバースト(Dummy Burst)８が組込まれている。このダミーバースト８は、予め規格（３ＧＰＰ  ＴＳ  ４５．００２  ：  ＧＳＭ／ＥＤＧＥの第３世代技術仕様検討会）で定められた「０」と「１」との組み合わせデータである（非特許文献参照）。
【０００５】
通信チャネル６においては、第２スロット以降の複数のスロットにそれぞれ送信内容を示す信号レベルL2の通信データ９が組込まれている。通信チャネル６における通信データ９が組込まれていないスロットには何も組込まれていない。
【０００６】
したがって、基地局１内には、制御チャネル５用の周波数f1の発振器と通信チャネル６用の周波数f2の発振器との２台の高性能の発振器が設けられている。
【０００７】
一方、このような下り信号３を受信するＧＳＭ端末２においては、制御チャネル５の受信レベルを監視し、予め定められた下限レベル以上の信号レベルが検出されると自己のＧＳＭ端末２は基地局１の受信エリア内に存在すると判断して、制御データ７及び通信データ９の受信を行う。制御チャネル５の受信レベルが下限レベル未満のときは、自己のＧＳＭ端末２は基地局１の受信エリア外と判断して基地局１との間に形成されかけた回線を切断する。
【０００８】
この場合、ＳＧＭ端末２としては、通信中には、必ずしも、制御チャネル５のダミーバースト８を受信する必要がないので、製造費を節減するために、１台の受信回路で受信周波数を切換えて下り信号３を受信するのが一般的である。すなわち、１フレームの先頭の第０スロットにおいては、受信周波数をｆ1にして制御データ７を受信し、受信レベル判定を行い、制御データ７を読取る。次に、第１スロットにおいて受信周波数をｆ2に切換えて、第２〜第５スロットで各通信データ９を受信する。
【０００９】
また、ＧＳＭ端末２の送受信機能を含む各種特性を試験する装置として、図８に示すＧＳＭ擬似基地局装置１０がある。このＧＳＭ擬似基地局装置１０は試験対象のＧＳＭ端末２に基地局１からの下り信号３とほぼ同じ下り試験信号３ａを送信して、試験対象のＧＳＭ端末２から正しい上り信号４ａが送信されることを確認する。なお、ＧＳＭ擬似基地局装置１０とＧＳＭ端末２とは有線で接続されている。
【００１０】
このようなＧＳＭ擬似基地局装置１０においては、製造費を節減するために、図９に示すように、１台の発振器で、発振周波数を切換えて下り試験信号３ａを作成するのが一般的である。すなわち、１フレームの先頭の第０スロットにおいては、発振周波数をｆ1にして制御チャネル５ａの制御データ７を送信し、第１スロットで発振周波数をｆ2に切換えて、第２〜第５スロットで通信チャネル６ａの通信データ９を送信する。したがって、制御チャネル５ａには、図７に示す正規の制御チャネル５に含まれていたダミーバースト８は送信されない。
【非特許文献１】３ＧＰＰ  ＴＳ  ４５．００２  V6.12.0 (2005-11)：3rd Generation Partnership Project ;Technical Specification Group ＧＳＭ／EDGE Radio Access Network Multiplexing and multiple access on the radio path (Release 6)
【発明の開示】
【発明が解決しようとする課題】
【００１１】
しかしながら、このようなＧＳＭ擬似基地局装置１０においても、まだ改良すべき次のような課題があった。
【００１２】
すなわち、近年、移動体通信を利用して音声通話のみならず、電子メール、データ伝送、パケット通信等の高機能を備えたＧＳＭ端末２が実用化されている。このような機能を備えたＧＳＭ端末２においては、ＧＳＭ端末２の制御チャネル５ａの信号レベルの監視タイミングは、制御チャネル５の第０スロットだけでなく、第１スロットの中間部分を含むようになった。これは、ＧＳＭ端末２の受信回路における受信周波数の切換速度が速くなり、第２スロット開始直前に受信周波数を周波数ｆ1から周波数ｆ2に切換ることや、ＧＳＭ端末２に２台の受信回路が組込まれることに起因すると考えられる。
【００１３】
この場合においては、試験対象のＧＳＭ端末２は、ＧＳＭ擬似基地局装置１０から出力された下り試験信号３ａにおける第１スロットにはダミーバースト８が存在しないので、この第１スロット期間中に制御チャネル５ａの信号レベルの検出を行った場合には、受信レベルが下限レベル未満となり、自己のＧＳＭ端末２は基地局１の受信エリア外と判断して回線を切断してしまう。すなわち、ＧＳＭ端末２に対して正しい試験が実施できなくなる懸念がある。
【００１４】
本発明は、このような事情に鑑みてなされたものであり、簡単な構成で、ダミーバーストを下り試験信号に組込ませることができ、安価な回路構成で、パケット通信機能を有した高機能のＧＳＭ端末に対しても、正しく試験を実施できるＧＳＭ擬似基地局装置を提供することを目的とする。
【課題を解決するための手段】
【００１５】
上記課題を解消するために、本発明は、試験対象のＧＳＭ端末に対して制御データを含む制御チャネルと通信データを含む通信チャネルとからなる下り試験信号を送出して、当該ＧＳＭ端末の試験を行うＧＳＭ擬似基地局装置において、制御データと通信データとを作成して、作成した制御データと通信データとをタイムスロットに応じて時分割合成して出力するデータ作成部と、このデータ作成部から出力された時分割合成された制御データ及び通信データのそれぞれの周波数を、１台の第１の発振器から発振周波数を切換えることにて供給される第１の周波数及び第２の周波数にそれぞれ設定して送信信号として出力する送信部と、第２の発振器からの第１の周波数を有するダミー信号を作成するダミー信号作成部と、このダミー信号作成部で作成されるダミー信号の出力レベルを定めるダミー信号制御部と、送信部から出力された送信信号とダミー信号作成部から出力されたダミー信号とを加算して下り試験信号として試験対象のＧＳＭ端末へ送出する加算部とを備えている。
【００１６】
また、別の発明は、試験対象のＧＳＭ端末に対して制御データを含む制御チャネルと通信データを含む通信チャネルとからなる下り試験信号を送出して、当該ＧＳＭ端末の試験を行うＧＳＭ擬似基地局装置において、制御データと通信データとを作成して、作成した制御データと通信データとをタイムスロットに応じて時分割合成して出力するデータ作成部と、このデータ作成部から出力された時分割合成された制御データ及び通信データのそれぞれの周波数を、１台の第１の発振器から発振周波数を切換えることにて供給される第１の周波数及び第２の周波数にそれぞれ設定して送信信号として出力する送信部と、第２の発振器からの第１の周波数を有するダミー信号を作成するダミー信号作成部と、このダミー信号作成部で作成されるダミー信号の出力レベルと該出力レベルの継続期間を定めるダミー信号制御部と、送信部から出力された送信信号とダミー信号作成部から出力されたダミー信号とを加算して下り試験信号として試験対象のＧＳＭ端末へ送出する加算部とを備えている。
【００１７】
このように構成されたＧＳＭ擬似基地局装置においては、制御データ及び通信データを作成してこれらをタイムスロットに応じて時分割合成する。そして、送信部において、従来のＧＳＭ擬似基地局装置と同様に、１台の発振器で発振周波数を第１、第２の周波数に切換えて、制御データ及び通信データの各周波数（搬送周波数）を第１、第２の周波数に設定して送信信号を得る。この送信信号にはダミー信号は含まれない。
【００１８】
そこで、正規の基地局から出力される下り信号の制御チャネルに含まれるダミー信号を、ダミー信号のみを作成するダミー信号作成部で作成して、作成されたダミー信号を加算部で送信信号に加算することにより、制御データ、ダミー信号、通信データを含む下り試験信号が得られる。
【００１９】
この場合、ダミー信号の使用目的は、ＧＳＭ端末において、受信した下り信号の制御チャネルが予め設定された下限信号レベルを満たすか否かの判断にのみ使用されるので、ダミー信号の周波数確度、レベル確度、波形品質等は高いレベルが要求されることはない。
【００２０】
したがって、第１の周波数を有するダミー信号を作成するための第２の発振器を低価格で構成できる。よって、ＧＳＭ端末に対する高い試験機能を維持した状態でＧＳＭ擬似基地局装置の製造費を大幅に上昇することなく、ＧＳＭ端末に対する試験機能を向上できる。
【００２１】
また、別の発明は、上述した発明のＧＳＭ擬似基地局装置において、ダミー信号制御部は、予め定められた規定信号レベルのダミー信号を常時出力する。
【００２２】
このように構成されたＧＳＭ擬似基地局装置においては、ダミー信号は、予め規格で定められた制御チャネルの信号レベルより低い規定信号レベルで常時出力されている。したがって、ＧＳＭ端末は下り試験信号に含まれるダミー信号の信号レベルを検出できる。
【００２３】
また、別の発明は、上述した発明のＧＳＭ擬似基地局装置において、ダミー信号制御部は、制御チャネルの制御データの送出していない期間において、ダミー信号の出力レベルを前述した規定信号レベルを超える値に設定している。この場合、ＧＳＭ端末は下り試験信号に含まれるダミー信号のうちの制御データの送出していない期間の信号レベルを検出すればよい。
【００２４】
また、別の発明では、上述した発明のＧＳＭ擬似基地局装置において、ダミー信号制御部は、ダミー信号の出力を制御チャネルの１フレームを構成する複数タイムスロットにおける各タイムスロット単位で指定された任意の出力パターンに設定している。
【００２５】
このようなＧＳＭ擬似基地局装置においては、ダミー信号における１フレーム分の出力レベルのパターンを任意に設定できるので、ＧＳＭ擬似基地局装置としては、ＧＳＭ端末のダミー信号のレベル検出の実施タイミングの検出、１フレーム内における各タイムスロットにおける受信感度検出等の各種試験を実施することが可能である。
【００２６】
また、別の発明は、上述した発明のＧＳＭ擬似基地局装置において、ダミー信号作成部は、前述した規格（３ＧＰＰ  ＴＳ  ４５．００２）で予め定められた「０」と「１」との組み合わせデータコードに基づいてダミー信号を作成する。
【発明の効果】
【００２７】
本発明によれば、安価な回路構成で、たとえパケット通信機能を有した高機能のＧＳＭ端末に対しても、正しくＧＳＭ端末に対する試験を実施できる。
【発明を実施するための最良の形態】
【００２８】
以下、本発明の各実施形態を図面を用いて説明する。
【００２９】
（第１実施形態）
図１は本発明の第１実施形態に係わるＧＳＭ擬似基地局装置と試験対象のＧＳＭ端末との接続状態を示す模式図である。
【００３０】
この第１実施形態のＧＳＭ擬似基地局装置１０ａは試験対象のＧＳＭ端末２に下り試験信号３ｂを送信して、ＧＳＭ端末２から正しい上り信号４ｂが送信されることを確認する。なお、ＧＳＭ擬似基地局装置１０ａとＧＳＭ端末２とは有線で接続されている。より具体的には、ＧＳＭ擬似基地局装置１０ａは、試験対象のＧＳＭ端末２をループバック状態に制御して、下り試験信号３ｂを送出して、ＧＳＭ端末２から上り信号４ｂを介して折り返されるデータに基づいて、試験対象のＧＳＭ端末２の「接続試験」、「送信電力測定」、「変調解析測定」、「受信感度測定」等の試験を行う。
【００３１】
図２は、第１実施形態のＧＳＭ擬似基地局装置１０ａにおける試験対象のＧＳＭ端末２に送信する下り試験信号３ｂを作成する部分を取出して示すブロック構成図である。このＧＳＭ擬似基地局装置１０ａ内には、データ作成部１１、送信部１２、ダミーバースト信号作成部１３、加算部１４、及びダミー信号制御部としてのダミーバースト制御部１５が設けられている。
【００３２】
データ作成部１１において、制御データ作成部１６は、図３に示す下り試験信号３ｂにおける１フレームを構成する第０〜第７の合計８スロットのうちの先頭の第０スロットのみに制御チャネル５ａに組込むべき信号レベルL1の制御データ７を作成して、切換器１８へ送出する。
【００３３】
また、通信データ作成部１７は、図３に示す下り試験信号３ｂにおける第０〜第７の合計８スロットのうちの第２スロットから第５スロットまでの連続する４スロットに通信チャネル６ａに組込むべき、制御データ７の信号レベルL1より低い信号レベルL2の通信データ９を作成して、切換器１８へ送出する。
【００３４】
切換制御部１９は、図３に示す下り試験信号３ｂにおける１フレームの第０〜第７のスロット毎に切換器１８を切換制御する。具体的には、１フレームの先頭の第０スロットにおいて、制御データ作成部１６側に切換え、１フレームの第２スロットから第５スロットまでを通信データ作成部１７側に切換える。その結果、切換器１８から、１フレームの第０スロットに信号レベルL1の制御データ７が組込まれ、第２スロットから第５スロットに信号レベルL2の通信データ９が組込まれたデータが出力される。
【００３５】
データ作成部１１から出力された、制御データ７及び通信データ９が時分割合成されたデータは、送信部１２内のチャネル合成部２０でチャネルコーディングされたのち、変調器２１でＧＭＳＫ変調される。その後、ＲＦ部２２において、第１の発振器２３から供給される周波数を用いて、制御データ７の周波数（搬送周波数）が第１の周波数ｆ1に設定され、通信データ９の周波数（搬送周波数）が第２の周波数ｆ2に設定され、送信信号２４として次の加算部１４へ送出される。
【００３６】
この、第１の発振器２３を用いて、制御データ７、通信データ９の周波数を第１、第２の周波数ｆ1、ｆ2に設定する具体手法を説明する。データ作成部１１の切換制御部１９は、１フレームにおける先頭の第０スロットにおいて、切換器１８を制御データ作成部１６側に切換えると共に、第１の発振器２３の発振周波数を第１の周波数ｆ1にして、その第１の周波数ｆ1をＲＦ部２２へ供給させる。また、切換制御部１９は、１フレームにおける第２スロットから第５スロットにおいて、切換器１８を通信データ作成部１７側に切換えると共に、第１の発振器２３の発振周波数を第２の周波数ｆ2にして、その第１の周波数ｆ2をＲＦ部２２へ供給させる。
【００３７】
また、切換制御部１９は、第１スロット、第６スロット、第７スロットにおいて、第１の発振器２３の動作を停止させる。その結果、送信部１２から出力される送信信号２４における第１スロット、第６スロット、第７スロットにおいては、データ７、９は出力されない。
【００３８】
ダミーバースト信号作成部１３において、ダミーバースト作成部２５は、前述した規格（３ＧＰＰ  ＴＳ  ４５．００２）で予め定められた「０」と「１」との組み合わせデータコード［1,1,1,1,1.0,1,1,0,…］で、図３に示すダミーバースト２８を作成する。
【００３９】
このダミーバースト作成部２５で作成されたダミーバースト２８は、次の変調器２６でＧＭＳＫ変調される。その後、ＲＦ部２７において、第２の発振器２９から供給される第１の周波数ｆ1を用いて、ダミーバースト２８の周波数（搬送周波数）が第１の周波数ｆ1に設定されて、ダミーバースト信号３０として次の加算部１４へ送出される。
【００４０】
ダミーバースト作成部２５で作成されるダミーバースト２８の信号レベル及びその信号レベルの継続期間はダミーバースト制御部１５によって与えられる。ダミーバースト制御部１５は、データ作成部１１で切換制御部１９にて第０〜第７の各スロットにおける制御データ７、各通信データ９の作成状態を監視して、予め試験実施者にて選択された方式に従ってダミーバースト作成部２５のダミーバースト作成動作（作成条件）を指定する。
【００４１】
この第１実施形態のＧＳＭ擬似基地局装置１０ａにおいては、信号レベルは規格［３ＧＰＰ  ＴＳ  ４５．００８］で予め定められた規定信号レベルＬSである。そして、この規定信号レベルＬSの継続期間は１フレーム分、すなわち常時ダミーバースト２８は出力されている。
【００４２】
したがって、この第１実施形態によれば、１フレームにおける第０スロットにおいて、同一の第１の周波数ｆ1の制御データ７とダミーバースト２８とが重複するが、制御データ７の信号レベルＬ1はダミーバースト２８の規定信号レベルＬSに比較して格段高いので、試験対象のＧＳＭ端末２が実施する制御データ７の読取りに支障が生じることはない。
【００４３】
加算部１４は送信部１２から出力された送信信号２４とダミーバースト信号作成部１３から出力されたダミーバースト信号３０を加算して、下り試験信号３ｂとして、試験対象のＧＳＭ端末２へ送出する。
【００４４】
図３は、下り試験信号３ｂに含まれる第１の周波数ｆ1の制御チャネル５ａ、第２の周波数ｆ2の通信チャネル５ｂ、第１の周波数ｆ1のダミーバースト２８のフォーマット図である。このフォーマット図でも理解できるように、制御チャネル５ａは信号レベルＬ1の制御データ７のみが含まれ、通信チャネル６ａは信号レベルＬ2の通信データ９のみが含まれる。さらに、規定信号レベルＬSを有したダミーバースト２８が１フレーム全体に亘って存在する。
【００４５】
このように構成された第１実施形態のＧＳＭ擬似基地局装置１０ａにおいては、ＧＳＭ擬似基地局装置１０ａから出力される図３に示す下り試験信号３ｂを受信した試験対象のＧＳＭ端末２は、１フレーム中の第０〜第７の合計８個のスロットのなかのどのスロットにおいても、ダミーバースト２８の信号レベルを検出することが可能となる。
【００４６】
この場合、１つの受信回路で受信周波数を変更する形式のＧＳＭ端末２のみならず、２つの受信回路で第１、第２の周波数ｆ1、ｆ2の各信号を個別に受信する形式のＧＳＭ端末２にも対応可能である。
【００４７】
この場合、図８に示す従来のＧＳＭ擬似基地局装置１０と同様に、制御データ７及び通信データ９を作成し、タイムスロットに応じてこれらを時分割合成し、１台の発振器２３で発振周波数を第１、第２の周波数ｆ1、ｆ2に切換えて、時分割合成した制御データ７及び通信データ９の各周波数をそれぞれ第１、第２の周波数ｆ1、ｆ2に設定して送信信号２４を得る。
【００４８】
そして、ダミーバースト信号作成部１３で、データ作成部１１とは独立して、ダミーバースト信号３０を作成して、加算部１４で送信信号２４とダミーバースト信号３０とを加算して、ダミーバースト２８を含む図３の下り試験信号３ｂを作成している。
【００４９】
前述したように、正規の基地局１から出力される下り信号３のダミーバースト８の使用目的は、ＧＳＭ端末２において、受信した下り信号３の制御チャネル５が下限信号レベルを満たすか否かの判断にのみ使用されるので、ダミーバースト８の周波数確度、レベル確度、波形品質は高いレベルが要求されることはない。
【００５０】
したがって、第１実施形態のＧＳＭ擬似基地局装置１０ａにおいては、制御チャネル５ａと同一の第１の周波数ｆ1を有するダミーバースト２８を作成するための第２の発振器２９を低価格で構成できる。よって、ＧＳＭ端末２に対する高い試験機能を維持した状態でＧＳＭ擬似基地局装置１０ａの製造費を大幅に上昇することなく、音声通話機能のみならず、電子メール機能、データ伝送機能、パケット通信機能等の高機能を有したＧＳＭ端末２に対する試験機能を向上できる。
【００５１】
（第２実施形態）
図４は本発明の第２実施形態に係わるＧＳＭ擬似基地局装置から試験対象のＧＳＭ端末２へ送出される下り試験信号３ｃのフォーマット図である。この第２実施形態のＧＳＭ擬似基地局装置のブロック構成図は図２に示す第１実施形態のＧＳＭ擬似基地局装置１０ａのブロック構成図と同じである。
【００５２】
この第２実施形態のＧＳＭ擬似基地局装置においては、ダミーバースト作成部２５のダミーバースト作成の制御を実施する図２におけるダミーバースト制御部１５は、データ作成部１１で第０〜第７の各スロットで順次作成される制御チャネル５ａの制御データ７、通信チャネル６ａの各通信データ９を監視し、制御データ７が送出されていない第１〜第７の各スロット期間において、図４に示すように、ダミーバースト２８ａの出力レベルを前述した規格で定められた規定信号レベルＬSを超える例えば制御データ７と同一基準レベルＬ1に設定している。
【００５３】
なお、第０スロットの信号レベルは０レベル、すなわち、１フレームにおける制御データ７が送出されている第０スロットにおいては、第２の発振器２９を停止させている。
【００５４】
このように構成された第２実施形態のＧＳＭ擬似基地局装置においても、ＧＳＭ擬似基地局装置１０ａから出力される図４に示す下り試験信号３ｃを受信した試験対象のＧＳＭ端末２は、１フレーム中の制御データ７が送出されている第０スロット以外の第１〜第７の合計７個のスロットのなかのどのスロットにおいても、ダミーバースト２８ａの信号レベルを検出することが可能となるので、先に説明した第１実施形態のＧＳＭ擬似基地局装置１０ａとほぼ同じ作用効果を奏することが可能である。
【００５５】
さらに、この第２実施形態においては、制御データ７が送出されている第０スロットにおいては、ダミーバースト２８ａは送出されておらず、制御データ７以外のスロットのダミーバースト２８ａの信号レベルを制御データ７の信号レベルＬ1に等しく設定しているので、図４に示す制御チャネル５ａとダミーバースト２８ａと通信チャネル６ａを含む下り試験信号３ｃは、正規の基地局１からＧＳＭ端末２へ送出している図７に示す正規の下り信号３に等価となる。
【００５６】
したがって、この第２実施形態のＧＳＭ擬似基地局装置は、測定対象のＧＳＭ端末２に対して、限りなく実際の使用状態に近い状態で、各種試験を実施できる。
【００５７】
（第３実施形態）
図５は本発明の第３実施形態に係わるＧＳＭ擬似基地局装置から試験対象のＧＳＭ端末２へ送出される下り試験信号３ｄのフォーマット図である。この第３実施形態のＧＳＭ擬似基地局装置のブロック構成図は図２に示す第１実施形態のＧＳＭ擬似基地局装置１０ａのブロック構成図と同じである。
【００５８】
この第３実施形態のＧＳＭ擬似基地局装置においては、ダミーバースト作成部２５のダミーバースト作成の制御を実施する図２におけるダミーバースト制御部１５は、データ作成部１１で第０〜第７の各スロットで順次作成される制御チャネル５ａの制御データ７、通信チャネル６ａの各通信データ９を監視し、ダミーバースト２８ｂの出力を制御チャネル５ａの制御データ７が送出されていない第１〜第７の各スロット期間において、ダミーバースト２８ｂの出力を、例えば、試験実施者が操作入力したスロット単位で指定された任意の出力パターンに設定可能である。
【００５９】
例えば、この第３実施形態においては、図５に示すように、１フレーム分のダミーバースト２８ｂの信号レベルを、下から順に０、ＬL、ＬS、Ｌ1、Ｌ3の３種類（０レベルを含めれば５種類に設定）に設定している。
【００６０】
このような第３実施形態のＧＳＭ擬似基地局装置においては、ダミーバースト２８における１フレーム分の出力レベルのパターンを任意に設定できるので、ＧＳＭ擬似基地局装置としては、ＧＳＭ端末２のダミーバースト２８ｂのレベル検出の実施タイミングの検出、１フレーム内における各タイムスロットにおける受信感度検出等の各種試験を実施することが可能である。
【００６１】
なお、本発明は上述した各実施形態に限定されるのもではない。ダミーバースト作成部２５は、例えば擬似ランダム符号列を用いてダミーバーストを作成することが可能である。
【００６２】
さらに、ダミーバーストを無変調信号にすることが可能である。この場合、ダミーバースト作成部２５及び変調器２６が不要になるので、第１実施形態のＧＳＭ擬似基地局装置に比較して、製造費を低減したＧＳＭ擬似基地局装置１０ａを実現できる。
【図面の簡単な説明】
【００６３】
【図１】本発明の第１実施形態に係わるＧＳＭ擬似基地局装置と試験対象のＧＳＭ端末との接続状態を示す模式図
【図２】同第１実施形態のＧＳＭ擬似基地局装置の概略構成を示すブロック図
【図３】同第１実施形態のＧＳＭ擬似基地局装置から試験対象のＧＳＭ端末に送信する下り試験信号のフォーマット図
【図４】本発明の第２実施形態のＧＳＭ擬似基地局装置から試験対象のＧＳＭ端末に送信する下り試験信号のフォーマット図
【図５】本発明の第３実施形態のＧＳＭ擬似基地局装置から試験対象のＧＳＭ端末に送信する下り試験信号のフォーマット図
【図６】ＧＳＭ移動体通信システムにおける基地局とＧＳＭ端末との関係を示す模式図
【図７】基地局からＧＳＭ端末へ送信する下り信号のフォーマット図
【図８】従来のＧＳＭ擬似基地局装置と試験対象のＧＳＭ端末との接続状態を示す模式図
【図９】同従来のＧＳＭ擬似基地局装置から試験対象のＧＳＭ端末に送信する下り試験信号のフォーマット図
【符号の説明】
【００６４】
１…基地局、２…ＧＳＭ端末、３…下り信号、３ａ、３ｂ、３ｃ、３ｄ…下り試験信号、４，４ａ…上り信号、５，５ａ…制御チャネル、６，６ａ…通信チャネル、７…制御データ、８，２８，２８ａ，２８ｂ…ダミーバースト、９…通信データ、１０，１０ａ…ＧＳＭ擬似基地局装置、１１…データ作成部、１２…送信部、１３…ダミーバースト信号作成部、１４…加算部、１５…ダミーバースト制御部、１６…制御データ作成部、１７…通信データ作成部、１８…切換器、１９…切換制御部、２０…チャネル合成部、２１，２６…変調器、２２，２６…ＲＦ部、２３…第１の発振器、２４…送信信号、２５…ダミーバースト作成部、２９…第２の発振器、３０…ダミーバースト信号
【図１】
2007228404.tif 000003
【図２】
2007228404.tif 000004
【図３】
2007228404.tif 000005
【図４】
2007228404.tif 000006
【図５】
2007228404.tif 000007
【図６】
2007228404.tif 000008
【図７】
2007228404.tif 000009
【図８】
2007228404.tif 000010
【図９】
2007228404.tif 000011